(57)【要約】【課題】受講者が所望する発表資料を端末に表示し、且つ、発表者が強調したい発表資料がある場合には、この発表資料を端末に表示することが可能な会議支援システム、会議支援装置、および会議支援方法を提供する。【解決手段】会議支援装置は、マウスを使用して所定の操作が行われたかを判断する。会議装置は、所定の操作が行われた場合、操作された領域を示す情報を、表示中の資料画像を示す情報とともに表示装置に対して送信する。表示装置は、会議支援装置から受信した情報に基づき、会議支援装置において表示されている資料画像と同一の資料画像を、表示画面４７１の第三領域４７１３に表示する。表示装置は、会議支援装置から受信した情報に基づき、操作された領域に含まれる文字４７３に背景色４７５を付加することによって強調表示する。【選択図】図１２
2013198038.tif 000002
【特許請求の範囲】
【請求項１】
資料画像を第一表示部に表示する会議支援装置と、前記会議支援装置から予め配布された前記資料画像を、前記第一表示部に表示される前記資料画像と同期させて第二表示部に表示する動作モードである第一モード、および、ユーザによって選択された前記資料画像を前記第二表示部に表示する動作モードである第二モードのうちいずれかの動作モードで動作する表示装置とを備えた会議支援システムであって、
前記会議支援装置は、
前記第一表示部に前記資料画像を表示した状態で、操作部を介して行われた操作を検出する検出手段と、
前記検出手段によって検出された前記操作が、前記資料画像上の位置を特定するための所定の操作であるかを判断する判断手段と、
前記判断手段によって前記所定の操作であると判断された場合に前記第一表示部に表示された前記資料画像を、前記所定の操作が行われた前記資料画像として通知する資料通知を、前記表示装置に送信する送信手段と
を備え、
前記表示装置は、
前記会議支援装置から送信された前記資料通知を受信する受信手段と、
前記受信手段によって前記資料通知が受信された場合に、前記資料通知によって通知される前記資料画像を、前記所定の操作が行われたことを示す態様で前記第二表示部に表示する表示制御手段と
を備えたことを特徴とする会議支援システム。
【請求項２】
前記送信手段は、
前記所定の操作によって特定された前記資料画像上の位置である特定位置を示す位置情報、および前記資料通知を前記表示装置に送信し、
前記受信手段は、前記会議支援装置から送信された前記位置情報および前記資料通知を受信し、
前記表示制御手段は、
前記受信手段によって前記位置情報および前記資料通知が受信された場合に、前記資料通知によって通知された前記資料画像と、前記位置情報によって示される前記特定位置を示す特定画像とを前記第二表示部に表示することを特徴とする請求項１に記載の会議支援システム。
【請求項３】
前記検出手段は、前記操作部の位置の経時変化に基づいて特定される前記操作部の移動の軌跡を検出し、
前記判断手段は、
前記検出手段によって検出された前記軌跡に基づいて、前記操作が前記所定の操作であるかを判断することを特徴とする請求項１または２に記載の会議支援システム。
【請求項４】
前記判断手段は、
前記軌跡の所定時間あたりの総距離、および、前記軌跡に基づいて特定される進行方向ベクトルの変化態様のうち少なくとも一方に基づいて、前記操作が前記所定の操作であるかを判断することを特徴とする請求項３に記載の会議支援システム。
【請求項５】
前記判断手段は、
前記検出手段によって検出された前記軌跡によって示される領域内に、前記資料画像に含まれる文字および図形のうち少なくともいずれかの位置が含まれる場合に、前記操作が前記所定の操作であると判断することを特徴とする請求項３または４に記載の会議支援システム。
【請求項６】
資料画像を第一表示部に表示する会議支援装置であって、前記会議支援装置から予め配布された前記資料画像を、前記第一表示部に表示される前記資料画像と同期させて第二表示部に表示する動作モードである第一モード、および、ユーザによって選択された前記資料画像を前記第二表示部に表示する動作モードである第二モードのうちいずれかの動作モードで動作する表示装置と通信を行う会議支援装置であって、
前記第一表示部に前記資料画像を表示した状態で、操作部を介して行われた操作を検出する検出手段と、
前記検出手段によって検出された前記操作が、前記資料画像上の位置を特定するための所定の操作であるかを判断する判断手段と、
前記判断手段によって前記所定の操作であると判断された場合に前記第一表示部に表示された前記資料画像を、前記所定の操作が行われた前記資料画像として通知する資料通知を、前記表示装置に送信する送信手段と、
を備え、
前記表示装置が前記資料通知を受信した場合に、前記資料通知によって通知される前記資料画像を、前記所定の操作が行われたことを示す態様で前記第二表示部に表示することを特徴とする会議支援装置。
【請求項７】
資料画像を第一表示部に表示する会議支援装置と、前記会議支援装置から予め配布された前記資料画像を、前記第一表示部に表示される前記資料画像と同期させて第二表示部に表示する動作モードである第一モード、および、ユーザによって選択された前記資料画像を前記第二表示部に表示する動作モードである第二モードのうちいずれかの動作モードで動作する表示装置とによって実行される会議支援方法であって、
前記会議支援装置が、前記第一表示部に前記資料画像を表示した状態で、操作部を介して行われた操作を検出する検出ステップと、
前記検出ステップによって検出された前記操作が、前記資料画像上の位置を特定するための所定の操作であるかを判断する判断ステップと、
前記判断ステップによって前記所定の操作であると判断された場合に前記第一表示部に表示された前記資料画像を、前記所定の操作が行われた前記資料画像として通知する資料通知を、前記会議支援装置が前記表示装置に送信する送信ステップと
前記会議支援装置から送信された前記資料通知を、前記表示装置が受信する受信ステップと、
前記受信ステップによって前記資料通知が受信された場合に、前記表示装置が、前記資料通知によって通知される前記資料画像を、前記所定の操作が行われたことを示す態様で前記第二表示部に表示する表示制御ステップと
を備えたことを特徴とする会議支援方法。
【発明の詳細な説明】
【技術分野】
【０００１】
本発明は、発表者および受講者の使用する端末に発表資料を表示させることによって、発表者および受講者間で実施される会議を支援する会議支援システム、会議支援装置、および会議支援方法に関する。
【背景技術】
【０００２】
発表者および受講者の使用する端末に発表資料を表示させることによって、発表者が受講者に対して発表形式で行う会議等を支援する会議支援システムが提案されている。会議支援システムでは、発表者が発表時に参照する発表資料が、受講者の使用する端末に表示される。表示される発表資料は、発表者の発表内容に連動して更新される。このため受講者は、発表内容に関連する発表資料を容易に参照することができる。特許文献１では、端末に表示される発表資料が、発表者の発表内容に連動して更新される動作モード（共有モード）と、発表者の発表内容とは独立して更新される動作モード（独立モード）とを切り替えることが可能な技術が開示されている。独立モードでは、端末に表示される発表資料は、受講者による入力操作に応じて更新されることになるので、受講者は、会議中であっても所望する発表資料を端末に表示させることができる。
【先行技術文献】
【特許文献】
【０００３】
【特許文献１】特開２０００−９２２１７号公報
【発明の概要】
【発明が解決しようとする課題】
【０００４】
しかしながらシステムが独立モードで動作する場合、端末に表示される発表資料は、受講者による入力操作に応じて更新されるので、発表者は、強調したい発表資料を受講者の端末に表示させることができない。このため発表者は、所望する発表資料を受講者に認識させることができないという問題点がある。
【０００５】
本発明の目的は、受講者が所望する発表資料を端末に表示し、且つ、発表者が強調したい発表資料がある場合には、この発表資料を端末に表示することが可能な会議支援システム、会議支援装置、および会議支援方法を提供することである。
【課題を解決するための手段】
【０００６】
本発明の第一態様に係る会議支援システムは、資料画像を第一表示部に表示する会議支援装置と、前記会議支援装置から予め配布された前記資料画像を、前記第一表示部に表示される前記資料画像と同期させて第二表示部に表示する動作モードである第一モード、および、ユーザによって選択された前記資料画像を前記第二表示部に表示する動作モードである第二モードのうちいずれの動作モードで動作する表示装置とを備えた会議支援システムであって、前記会議支援装置は、前記第一表示部に前記資料画像を表示した状態で、操作部を介して行われた操作を検出する検出手段と、前記検出手段によって検出された前記操作が、前記資料画像上の位置を特定するための所定の操作であるかを判断する判断手段と、前記判断手段によって前記所定の操作であると判断された場合に前記第一表示部に表示された前記資料画像を、前記所定の操作が行われた前記資料画像として通知する資料通知を、前記表示装置に送信する送信手段とを備え、前記表示装置は、前記会議支援装置から送信された前記資料通知を受信する受信手段と、前記受信手段によって前記資料通知が受信された場合に、前記資料通知によって通知される前記資料画像を、前記所定の操作が行われたことを示す態様で前記第二表示部に表示する表示制御手段とを備えている。
【０００７】
第一態様によれば、会議支援装置は、操作部を介して所定の操作が行われた場合に、表示装置に対して資料通知を送信する。表示装置は、会議支援装置から受信した資料通知によって通知された資料画像を、第二表示部に表示する。会議支援装置を使用するユーザ（例えば発表者）は、表示装置を使用するユーザ（例えば受講者）に対して、所望する資料画像を見せながら発表等を行うことが可能となる。
【０００８】
また会議支援システムでは、第二表示部に表示される資料画像が、第一表示部に表示される資料画像とは独立して更新される動作モードで表示装置が動作している場合でも、表示装置が資料通知を受信した場合には、第一表示部に表示された資料画像と同一の資料画像が、第二表示部に表示されることになる。このため会議支援システムは、受講者の所望する資料画像を表示装置の第二表示部に表示させつつ、発表者が会議支援装置に対して所定の操作を行った場合には、第一表示部に表示された資料画像と同一の資料画像を第二表示部に表示させることができる。
【０００９】
さらに第二表示部には、所定の操作が行われたことを示す態様で資料画像が表示されるので、受講者は、発表者が所定の操作を行うことによって資料画像のうち特定の部位を指定したことを容易に認識できる。
【００１０】
第一態様において、前記送信手段は、前記所定の操作によって特定された前記資料画像上の位置である特定位置を示す位置情報、および前記資料通知を前記表示装置に送信し、前記受信手段は、前記会議支援装置から送信された前記位置情報および前記資料通知を受信し、前記表示制御手段は、前記受信手段によって前記位置情報および前記資料通知が受信された場合に、前記資料通知によって通知された前記資料画像と、前記位置情報によって示される前記特定位置を示す特定画像とを前記第二表示部に表示してもよい。例えば発表者は、資料画像のうち特に強調したい部位を、所定の操作によって特定する。第二表示部には、所定の操作によって特定された部位を示す特定画像が表示される。このため受講者は、発表者が強調したい部分を資料画像の中から容易に特定し、認識できる。このようにして会議支援システムは、発表者が資料画像を参照して発表等を行う場合の利便性を高めることができる。
【００１１】
第一態様において、前記検出手段は、前記操作部の位置の経時変化に基づいて特定される前記操作部の移動の軌跡を検出し、前記判断手段は、前記検出手段によって検出された前記軌跡に基づいて、前記操作が前記所定の操作であるかを判断してもよい。会議支援装置は、操作部を使用して発表者が行う一般的な強調操作を、資料画像上の部位を特定するための所定の操作であると判断できる。このため発表者は、資料画像のうち特に強調したい部位に対して通常通り強調操作を行うことによって、受講者に、資料画像のうち特に強調したい部位を容易に認識させることができる。
【００１２】
第一態様において、前記判断手段は、前記軌跡の所定時間あたりの総距離、および、前記軌跡に基づいて特定される進行方向ベクトルの変化態様のうち少なくとも一方に基づいて、前記操作が前記所定の操作であるかを判断してもよい。理由は、操作部の移動の軌跡の総距離が大きくなる程、また進行方向ベクトルの変化態様が大きくなる程、発表者による強調の程度は大きくなる傾向が強いためである。従って会議支援装置は、所定の操作をより正確に判断することができる。
【００１３】
第一態様において、前記判断手段は、前記検出手段によって検出された前記軌跡によって示される領域内に、前記資料画像に含まれる文字および図形のうち少なくともいずれかの位置が含まれる場合に、前記操作が前記所定の操作であると判断してもよい。これによって会議支援装置は、所定の操作をさらに正確に判断することができる。
【００１４】
本発明の第二態様に係る会議支援装置は、資料画像を第一表示部に表示する会議支援装置であって、前記会議支援装置から予め配布された前記資料画像を、前記第一表示部に表示される前記資料画像と同期させて第二表示部に表示する動作モードである第一モード、および、ユーザによって選択された前記資料画像を前記第二表示部に表示する動作モードである第二モードのうちいずれの動作モードで動作する表示装置と通信を行う会議支援装置であって、前記第一表示部に前記資料画像を表示した状態で、操作部を介して行われた操作を検出する検出手段と、前記検出手段によって検出された前記操作が、前記資料画像上の位置を特定するための所定の操作であるかを判断する判断手段と、前記判断手段によって前記所定の操作であると判断された場合に前記第一表示部に表示された前記資料画像を、前記所定の操作が行われた前記資料画像として通知する資料通知を、前記表示装置に送信する送信手段とを備え、前記表示装置が前記資料通知を受信した場合に、前記資料通知によって通知される前記資料画像を、前記所定の操作が行われたことを示す態様で前記第二表示部に表示する。第二態様によれば、第一態様と同様の効果を奏することができる。
【００１５】
本発明の第三態様に係る会議支援方法は、資料画像を第一表示部に表示する会議支援装置と、前記会議支援装置から予め配布された前記資料画像を、前記第一表示部に表示される前記資料画像と同期させて第二表示部に表示する動作モードである第一モード、および、ユーザによって選択された前記資料画像を前記第二表示部に表示する動作モードである第二モードのうちいずれの動作モードで動作する表示装置とによって実行される会議支援方法であって、前記会議支援装置が、前記第一表示部に前記資料画像を表示した状態で、操作部を介して行われた操作を検出する検出ステップと、前記検出ステップによって検出された前記操作が、前記資料画像上の位置を特定するための所定の操作であるかを判断する判断ステップと、前記判断ステップによって前記所定の操作であると判断された場合に前記第一表示部に表示された前記資料画像を、前記所定の操作が行われた前記資料画像として通知する資料通知を、前記会議支援装置が前記表示装置に送信する送信ステップと前記会議支援装置から送信された前記資料通知を、前記表示装置が受信する受信ステップと、前記受信ステップによって前記資料通知が受信された場合に、前記表示装置が、前記資料通知によって通知される前記資料画像を、前記所定の操作が行われたことを示す態様で前記第二表示部に表示する表示制御ステップとを備えている。第三態様によれば、第一態様と同様の効果を奏することができる。
【図面の簡単な説明】
【００１６】
【図１】会議支援システム１の概要、会議支援装置１１および表示装置１５の電気的構成を示す図である。
【図２】会議支援装置１１の表示部３７に表示される表示画面３７１を示す図である。
【図３】表示装置１５の表示部４７に表示される表示画面４７１を示す図である。
【図４】開始処理を示すフローチャートである。
【図５】追加処理を示すフローチャートである。
【図６】検出処理を示すフローチャートである。
【図７】会議支援装置１１の表示部３７に表示される表示画面３７１を示す図である。
【図８】所定の操作の検出方法を説明するための図である。
【図９】送信処理を示すフローチャートである。
【図１０】パケット６１に格納されるデータを示す図である。
【図１１】受信処理を示すフローチャートである。
【図１２】表示装置１５の表示部４７に表示される表示画面４７１を示す図である。
【図１３】表示装置１５の表示部４７に表示される表示画面４７１を示す図である。
【発明を実施するための形態】
【００１７】
図１を参照し、会議支援システム１について説明する。会議支援システム１は、会議支援装置１１および表示装置１２、１３、１４（以下、総称して「表示装置１５」ともいう。）を備える。会議支援装置１１および表示装置１５は、ネットワーク２０を介して通信可能に接続する。会議支援システム１は、発表者が受講者に対して発表形式で行う会議等を支援する。会議支援装置１１は発表者によって使用され、表示装置１５は受講者によって使用される。発表者は、会議支援装置１１の表示部３７に表示される資料画像を参照しながら、発表形式の会議を進行する。受講者は、表示装置１５の表示部４７に表示される資料画像を参照しながら、発表者の発表を受講する。会議支援装置１１および表示装置１５の具体例として、周知のＰＣ（Personal Computer）が挙げられる。
【００１８】
表示装置１５は、２つの動作モード（第一モードおよび第二モード）で動作することが可能である。表示装置１５が第一モードで動作する場合、会議支援装置１１の表示部３７に表示された１ページ分の資料画像と同一ページの資料画像が、表示装置１５の表示部４７にも表示される。また、会議支援装置１１の表示部３７に表示された資料画像のページが更新された場合、表示装置１５の表示部４７に表示される資料画像のページも、同様のタイミングで更新される。このように、表示装置１５が第一モードで動作することによって、発表者が表示部３７を介して参照する資料画像のページと同一ページの資料画像が、表示装置１５の表示部４７にも表示されることになる。従って受講者は、発表者が発表時に参照する資料画像を容易に参照することができる。
【００１９】
一方、表示装置１５が第二モードで動作する場合、受講者による入力操作に応じて特定されるページの資料画像が、表示部４７に表示される。第一モードで動作する場合と異なり、表示装置１５の表示部４７に表示される資料画像のページと、会議支援装置１１の表示部３７に表示される資料画像のページとは連動しない。このため、表示装置１５が第二モードで動作することによって、受講者は、発表者による発表が行われている最中であっても、所望するページの資料画像を参照することができる。
【００２０】
表示部３７、４７に表示される表示画面を例示して具体的に説明する。図２は、会議支援装置１１の表示部３７に表示される表示画面の一例である、表示画面３７１を示している。表示画面３７１には、第一領域３７１１〜第四領域３７１４が設けられる。第一領域３７１１にはツールバーが表示される。第二領域３７１２には、会議に参加する受講者の名称（「TARO」「JIRO」等）が表示される。第三領域３７１３には、１ページ分の資料画像が表示される。第四領域３７１４には、３つの選択ボタン（「資料画像」、「戻る」、および「進む」）が表示される。
【００２１】
発表者は、発表形式の会議を開始する場合、ＨＤＤ３４（図１参照、後述）に記憶されたファイルであって複数ページ分の資料画像を含む複数のファイルのうち一つを選択し、選択ボタン「資料画像」を選択する。選択されたファイルは、会議支援装置１１から表示装置１５に対して送信される。選択されたファイルに含まれる資料画像の１ページ目が、第三領域３７１３に表示される。発表者は、選択ボタン「進む」を選択することによって、第三領域３７１３に表示された資料画像のページを１ページ分ずつ先に進めることができる。また発表者は、選択ボタン「戻る」を選択することによって、第三領域３７１３に表示された資料画像のページを１ページ分ずつ元に戻すことができる。
【００２２】
図３は、表示装置１５の表示部４７に表示される表示画面の一例である、表示画面４７１を示している。表示画面４７１には、第一領域４７１１〜第四領域４７１４が設けられる。第一領域４７１１にはツールバーが表示される。第二領域４７１２には、会議支援装置１１のカメラ３６１（図１参照、後述）によって撮影された、発表者の様子を示す映像が表示される。第三領域４７１３には、１ページ分の資料画像が表示される。第四領域４７１４には、４つの選択ボタン（「第一モード」、「第二モード」、「戻る」、および「進む」）が表示される。なお、選択ボタン「戻る」および「進む」は、第二モードボタンが選択されている状態でのみ有効となる。第一モードボタンが選択されている状態では無効となる。
【００２３】
会議支援装置１１から送信されたファイルが表示装置１５によって受信された場合、表示装置１５は、ＨＤＤ４４（図１参照、後述）にファイルを記憶する。受講者は、選択ボタン「第一モード」または「第二モード」を選択することによって、表示装置１５の動作モードを決定する。ＨＤＤ４４に記憶されたファイルに含まれる１ページ分の資料画像が、選択された動作モードに応じた態様で第三領域４７１３に表示される。選択ボタン「第一モード」が選択されている場合、会議支援装置１１の表示部３７の第三領域３７１３（図２参照）に表示されている資料画像のページと同一ページの資料画像が、第三領域４７１３に表示される。第三領域３７１３に表示された資料画像のページが変更された場合、第三領域４７１３に表示される資料画像のページも自動的に更新される。一方、選択ボタン「第二モード」が選択されている場合、受講者の入力操作によって指定されたページの資料画像が、第三領域４７１３に表示される。受講者は、選択ボタン「進む」を選択することによって、第三領域４７１３に表示された資料画像のページを１ページ分ずつ先に進めることができる。また受講者は、選択ボタン「戻る」を選択することによって、第三領域４７１３に表示された資料画像のページを１ページ分ずつ元に戻すことができる。
【００２４】
また受講者は、第二領域４７１２に表示される映像を視認することによって、発表者の様子を認識することができる。また詳細は後述するが、表示装置１５は、会議支援装置１１のマイク３９（図１参照）によって集音された発表者の音声を、スピーカ４８から出力する。このため受講者は、発表者が発声した声を聴くことができる。
【００２５】
なお本実施形態において、表示装置１５は、会議支援装置１１に接続したマウス３６２（図１参照）を介して所定の操作が行われた場合、第二モードで動作している状態であっても、会議支援装置１１の表示部３７に表示された資料画像のページと同一ページの資料画像を表示部４７に表示する。また表示装置１５は、必要に応じ、１ページ分の資料画像のうち所定の操作によって指定された部位を受講者が認識できる態様で、表示部４７に１ページ分の資料画像を表示する。これによって表示装置１５は、発表者が特に強調したい資料画像のページや、資料画像における特定の部位を、受講者に確実に認識させることができる。このように会議支援システム１は、発表者による発表形式の会議を円滑に進行させることができる。
【００２６】
図１を参照し、会議支援装置１１の電気的構成について説明する。会議支援装置１１は、会議支援装置１１の制御を司るＣＰＵ３１を備えている。ＣＰＵ３１は、ＲＯＭ３２、ＲＡＭ３３、ハードディスクドライブ（ＨＤＤ）３４、通信Ｉ／Ｆ３５、外部インタフェース（以下、「外部Ｉ／Ｆ」という。）３６、表示部３７、スピーカ３８、マイク３９、およびドライブ装置４０と電気的に接続する。ＲＯＭ３２には、ブートプログラムやＢＩＯＳ等が記憶される。ＲＡＭ３３には、タイマやカウンタ、一時的なデータが記憶される。またＲＡＭ３３には、参加者テーブル（後述）が記憶される。ＨＤＤ３４には、ＣＰＵ３１の制御プログラムが記憶される。またＨＤＤ３４には、複数ページ分の資料画像を含むファイルが複数記憶される。通信Ｉ／Ｆ３５は、ネットワーク２０を介して表示装置１５と通信を行う。外部Ｉ／Ｆ３６には、カメラ３６１およびマウス３６２が接続される。ドライブ装置４０は、記憶媒体４０１に記憶された情報を読み出す。例えば会議支援装置１１のセットアップ時、記憶媒体４０１に記憶されたプログラムは、ドライブ装置４０によって読み出され、ＨＤＤ３４に記憶される。
【００２７】
表示装置１５の電気的構成について説明する。表示装置１５は、表示装置１５の制御を司るＣＰＵ４１を備えている。ＣＰＵ４１は、ＲＯＭ４２、ＲＡＭ４３、ＨＤＤ４４、通信Ｉ／Ｆ４５、外部Ｉ／Ｆ４６、表示部４７、スピーカ４８、およびドライブ装置５０と電気的に接続する。ＲＯＭ４２には、ブートプログラムやＢＩＯＳ等が記憶される。ＲＡＭ４３には、タイマやカウンタ、一時的なデータが記憶される。ＨＤＤ４４には、ＣＰＵ４１の制御プログラムが記憶される。またＨＤＤ４４には、複数ページ分の資料画像を含むファイルであって、会議支援装置１１から受信したファイルが記憶される。通信Ｉ／Ｆ４５は、ネットワーク２０を介して会議支援装置１１と通信を行う。外部Ｉ／Ｆ４６には、マウス４６１が接続される。ドライブ装置５０は、記憶媒体５０１に記憶された情報を読み出す。例えば表示装置１５のセットアップ時、記憶媒体５０１に記憶されたプログラムは、ドライブ装置５０によって読み出され、ＨＤＤ４４に記憶される。
【００２８】
図４〜図１０を参照し、会議支援装置１１のＣＰＵ３１によって実行される処理（開始処理、追加処理、検出処理、および送信処理）について説明する。ＣＰＵ３１は、複数の処理を並行して実行する。なおＣＰＵ３１は、処理が開始される前に、会議への参加要求を表示装置１５から受信しているものとする。ＣＰＵ３１は、受信した参加要求の送信元のアドレス（ＭＡＣアドレスおよびＩＰアドレス）を、参加要求を送信した表示装置１５のアドレスとして参加者テーブルに記憶する。アドレスには、参加要求を送信した表示装置１５のＩＤが対応付けられる。ＣＰＵ３１は、会議に参加する受講者の使用する表示装置１５を、参加者テーブルによって把握する。
【００２９】
図４を参照し、開始処理について説明する。ＣＰＵ３１は、ＨＤＤ３４に記憶された複数のファイルのうち一つが発表者によって選択され、且つ、表示画面３７１の第四領域３７１４に表示された選択ボタン「資料画像」が発表者によって選択された場合、開始処理を開始する。
【００３０】
ＣＰＵ３１は、会議に参加している受講者の使用する表示装置１５が存在するか否かを、参加者テーブルに基づいて判断する（Ｓ１１）。ＩＤおよびアドレスが参加者テーブルに１以上記憶されている場合、ＣＰＵ３１は、会議に参加している受講者によって使用される表示装置１５が存在すると判断する（Ｓ１１：ＹＥＳ）。ＣＰＵ３１は、参加者テーブルに記憶されたアドレスをすべて取得する（Ｓ１３）。ＣＰＵ３１は、取得したアドレス宛に、発表者によって選択されたファイルを送信する（Ｓ１５）。開始処理は終了する。一方、ＩＤおよびアドレスが参加者テーブルに記憶されていない場合、ＣＰＵ３１は、会議に参加する受講者によって使用される表示装置１５が存在しないと判断する（Ｓ１１：ＮＯ）。この場合、開始処理は終了する。
【００３１】
図５を参照し、追加処理について説明する。ＣＰＵ３１は、会議の実行中に、会議に参加していない表示装置１５から新たに参加要求を受信した場合、追加処理を開始する。
【００３２】
ＣＰＵ３１は、Ｓ１５（図４参照）で送信したファイルに含まれる資料画像の任意のページが、表示画面３７１の第三領域３７１３に表示された状態であるかを判断する（Ｓ２１）。資料画像の任意のページが第三領域３７１３に表示されている場合（Ｓ２１：ＹＥＳ）、ＣＰＵ３１は、参加要求を送信した表示装置１５のＩＤおよびアドレスを対応付けて、参加者テーブルに記憶する。次いでＣＰＵ３１は、参加者テーブルに新たに記憶したアドレスを取得する（Ｓ２３）。ＣＰＵ３１は、第三領域３７１３に表示された状態の１ページ分の資料画像を含むファイルを、取得したアドレス宛に送信する（Ｓ２５）。追加処理は終了する。一方、資料画像の任意のページが第三領域３７１３に表示されていない場合（Ｓ２１：ＮＯ）、追加処理は終了する。
【００３３】
図６を参照し、検出処理について説明する。ＣＰＵ３１は、マウス３６２から継続的に出力される移動量を取得し、マウス３６２の相対位置を繰り返し算出する。ＣＰＵ３１は、単位時間あたりに算出したマウス３６２の相対位置に基づいて、マウス３６２に対して所定の操作が行われたかを判断するために、検出処理を周期的に実行する。
【００３４】
所定の操作とは、第三領域３７１３に表示された１ページ分の資料画像のうち特定の部位を強調するために、発表者がマウス３６２を使用して行う操作である。例えば図７に示すように、発表者が第三領域３７１３に表示された１ページ分の資料画像のうち、「発表資料」の文字３７３上をカーソル３７２が左右に往復移動するように、マウス３６２を操作したとする。軌跡３７５は、カーソル３７２の移動の軌跡を示している。また例えば、資料画像のうち「ページ１」の文字３７４上にカーソル３７２で繰り返し円を描くようにマウス３６２を操作したとする。軌跡３７６は、カーソル３７２の移動の軌跡を示している。これらの操作は、文字３７３、３７４を強調したい場合に発表者によって行われる一般的な操作である。ＣＰＵ３１は、上述の操作がマウス３６２を使用して実行されたかを判断することによって、発表者が１ページ分の資料画像のうち特定の部位を強調する操作を行ったかを判断する。
【００３５】
以下、図８に示す軌跡５１上を単位時間内でカーソル３７２が移動するようにマウス３６２が操作されたことを想定し、図６の検出処理を具体的に説明する。以下、カーソル３７２の移動の軌跡５１を「マウス３６２の移動の軌跡５１」と言い換える。第三領域３７１３の左右方向および図８の左右方向をＸ軸方向とし、第三領域３７１３の上下方向および図８の上下方向をＹ軸方向とする。
【００３６】
図６に示すように、ＣＰＵ３１は、マウス３６２から継続的に出力される移動量に基づき、マウス３６２の相対位置を示す座標情報（Ｘ，Ｙ）を複数特定する。マウス３６２に対して所定の操作が行われた場合、ＣＰＵ３１は、軌跡５１上の位置を示す複数の座標情報（Ｘ，Ｙ）を特定することになる。ＣＰＵ３１は、単位時間あたりの座標情報（Ｘ，Ｙ）の経時変化に基づいて、マウス３６２の移動の軌跡５１を特定する（Ｓ３１）。ＣＰＵ３１は、特定した移動の軌跡５１に基づいて、マウス３６２の移動領域５２（図８参照）を算出する（Ｓ３３）。
【００３７】
図８に示すように、特定された複数の座標情報（Ｘ，Ｙ）のうち、Ｘ軸方向の最小値（Ｘｍｉｎ）および最大値（Ｘｍａｘ）、並びに、Ｙ軸方向の最小値（Ｙｍｉｎ）および最大値（Ｙｍａｘ）とした場合、移動領域５２は、４点（Ｘｍｉｎ，Ｙｍｉｎ）（Ｘｍａｘ，Ｙｍｉｎ）（Ｘｍａｘ，Ｙｍａｘ）（Ｘｍｉｎ，Ｙｍａｘ）で囲まれる領域に相当する。
【００３８】
図６に示すように、ＣＰＵ３１は、単位時間あたりのＸ軸方向の移動範囲Ｓ（＝Ｘｍａｘ−Ｘｍｉｎ）（図８参照）を算出する（Ｓ３５）。次いでＣＰＵ３１は、単位時間あたりの軌跡５１の総距離Ｔ（図８参照）を算出する（Ｓ３７）。
【００３９】
ＣＰＵ３１は、Ｓ３７で算出した総距離Ｔが、Ｓ３５で算出した移動範囲Ｓの３倍以上となるかを判断する（Ｓ３９）。総距離Ｔが移動範囲Ｓの３倍未満である場合（Ｓ３９：ＮＯ）、ＣＰＵ３１は、マウス３６２を使用して所定の操作が行われていないと判断する。この場合、検出処理は終了する。
【００４０】
一方、総距離Ｔが移動範囲Ｓの３倍以上となる場合（Ｓ３９：ＹＥＳ）、ＣＰＵ３１は、Ｓ３１で特定したマウス３６２の移動の軌跡５１（図８参照）に基づき、移動の軌跡５１の進行方向ベクトルを特定し、特定した進行方向ベクトルのＸ軸方向成分の極性が変化する回数を算出する（Ｓ４１）。図８に示すように、軌跡５１はＸ軸方向に合計３往復している。正（図８の右方向）から負（図８の左方向）に極性が３回変化し、負から正に極性が２回変化している。このため、極性の変化の回数として５（＝３＋２）が算出される。
【００４１】
図６に示すように、ＣＰＵ３１は、算出した極性の変化の回数が３以上であるかを判断する（Ｓ４３）。図８の軌跡５１の場合、５が算出されているので（Ｓ４３：ＹＥＳ）、処理はＳ４５に進む。一方、算出された回数が３未満である場合（Ｓ４３：ＮＯ）、ＣＰＵ３１は、マウス３６２を使用して所定の操作が行われていないと判断する。この場合、検出処理は終了する。
【００４２】
Ｓ４５において、ＣＰＵ３１は、第三領域３７１３に表示された１ページ分の資料画像に含まれる文字および図形の少なくとも何れかが、Ｓ３３で特定した移動領域５２内に含まれているかを判断する（Ｓ４５）。図８の場合、移動領域５２内に、「発表資料」の文字５３が含まれている（Ｓ４５：ＹＥＳ）。この場合ＣＰＵ３１は、所定の操作、即ち、第三領域３７１３に表示された１ページ分の資料画像のうち特定の部位を強調するための操作がマウス３６２を使用して行われたと認識する（Ｓ４７）。ＣＰＵ３１は、Ｓ３３で特定された移動領域５２を示す４点の座標情報（（Ｘｍｉｎ，Ｙｍｉｎ）（Ｘｍａｘ，Ｙｍｉｎ）（Ｘｍａｘ，Ｙｍａｘ）（Ｘｍｉｎ，Ｙｍａｘ））を、操作情報としてＲＡＭ３３に記憶する（Ｓ４９）。検出処理は終了する。
【００４３】
一方、Ｓ４５で、文字および図形の何れも移動領域５２内に含まれていない場合（Ｓ４５：ＮＯ）、ＣＰＵ３１は、マウス３６２を使用して所定の操作が行われていないと判断する。この場合、検出処理は終了する。
【００４４】
以上のようにＣＰＵ３１は、マウス３６２を使用して発表者が行う一般的な強調操作を、資料画像上のうち特定の部位を指定するための所定の操作であると判断できる。このため発表者は、資料画像のうち特に強調したい部位に対して一般的な強調操作を行うことによって、受講者に、資料画像のうち特に強調したい部位を容易に認識させることができる。
【００４５】
ＣＰＵ３１は、マウス３６２の移動の軌跡５１の総距離に基づき、所定の操作が行われたかを判断する。マウス３６２の移動の軌跡の総距離が大きくなる程、発表者による強調の程度は大きくなる傾向が強いためである。またＣＰＵ３１は、マウス３６２の移動の軌跡５１の進行方向ベクトルのＸ軸方向の極性が変化した回数に基づき、所定の操作が行われたかを判断する。進行方向ベクトルの極性の変化回数が大きくなる程、発表者による強調の程度は大きくなる傾向が強いためである。従ってＣＰＵ３１は、発表者がマウス３６２を使用して行う強調操作を、より正確に且つ容易に判断できる。
【００４６】
またＣＰＵ３１は、移動領域５２内に文字や線画が含まれている場合に、発表者がマウス３６２を使用して所定の操作を行ったと判断する。発明者は通常、文字や線画を強調して受講者に示す場合が多いためである。これによってＣＰＵ３１は、マウス３６２を使用して行う強調操作を、さらに正確に且つ容易に判断できる。
【００４７】
図９を参照し、送信処理について説明する。ＣＰＵ３１は、表示装置１５に対してパケット６１（図１０参照）を周期的に送信するために、送信処理を周期的に実行する。パケット６１には、発明者の様子を示す映像のデータや、発明者の音声のデータ等が格納される。またパケット６１には、表示装置１５の表示画面４７１に表示される表示画面４７１の態様を制御するためのデータが格納される。詳細は以下の通りである。
【００４８】
図１０に示すように、パケット６１には、パケット番号６１１、宛先アドレス６１２、映像データ６１３、音声データ６１４、操作種別６１５、ファイル名６１６、ページ番号６１７、および移動領域６１８が格納される。パケット番号６１１は、パケット６１を識別するための識別番号である。宛先アドレス６１２は、パケット６１が送信される宛先の表示装置１５のアドレスである。映像データは、会議支援装置１１（図１参照）に接続されたカメラ３６１（図１参照）によって撮影された、発表者の様子を示す映像のデータである。音声データは、会議支援装置１１に設けられたマイク３９（図１参照）によって集音された、発表者の音声のデータである。
【００４９】
操作種別６１５は、発表者が行った操作の種別を示す情報である。操作種別６１５として、３種類の種別のうち何れかがパケット６１に格納される。１つ目は、資料画像のページを切り替える操作が行われたことを示す「ページ切り替え」である。「ページ切り替え」は、表示画面３７１の第四領域３７１４に設けられた選択ボタン「戻る」「進む」を選択する操作が発表者によって実行された場合に、操作種別６１５として格納される。２つ目は、マウス３６２を使用して所定の操作が行われたことを示す「所定の操作」である。「所定の操作」は、表示画面３７１の第三領域３７１３に表示された１ページ分の資料画像のうち特定の部位を強調するための操作が、発表者によってマウス３６２を使用して行われた場合に、操作種別６１５として格納される。３つ目は、「ページ切り替え」「所定の操作」以外の操作が発明者によって行われたことを示す「その他」である。
【００５０】
ファイル名６１６は、第三領域３７１３に表示された１ページ分の資料画像を含むファイルの名称である。ページ番号６１７は、第三領域３７１３に表示された資料画像のページを示す番号である。移動領域６１８は、Ｓ３３（図６参照）で特定された移動領域５２（図８参照）を示す４点の座標情報である。
【００５１】
図９に示すように、ＣＰＵ３１は、検出処理（図６参照）のＳ４９でＲＡＭ３３に移動領域５２が操作情報として記憶されている場合に、操作情報を取得する（Ｓ６１）。ＣＰＵ３１は、表示装置１５に送信するパケット６１（図１０参照）を次のようにして作成する。ＣＰＵ３１は、パケット６１を識別するための識別情報を、パケット番号６１１（図１０参照）としてパケット６１に格納する。ＣＰＵ３１は、参加者テーブルに記憶されているアドレスをすべて取得し、宛先アドレス６１２（図１０参照）としてパケット６１に格納する。ＣＰＵ３１は、カメラ３６１によって撮影された発明者の様子を示す映像を、カメラ３６１から取得する。ＣＰＵ３１は、取得した映像のデータを、映像データ６１３（図１０参照）としてパケット６１に格納する。ＣＰＵ３１は、マイク３９によって集音された発明者の音声を、マイク３９から取得する。ＣＰＵ３１は、取得した音声のデータを、音声データ６１４（図１０参照）としてパケット６１に格納する（Ｓ６３）。
【００５２】
ＣＰＵ６１は、表示画面３７１の第四領域３７１４に表示された選択ボタン「戻る」「進む」が選択され、第三領域３７１３に表示された１ページ分の資料画像のページを切り替える操作が行われているかを判断する（Ｓ６５）。資料画像のページを切り替える操作が行われている場合（Ｓ６５：ＹＥＳ）、ＣＰＵ３１は、「ページ切り替え」を操作種別６１５としてパケット６１に格納する。ＣＰＵ３１は、第三領域３７１３に表示されている１ページ分の資料画像が含まれるファイルの名称を、ファイル名６１６としてパケット６１に格納する。ＣＰＵ３１は、選択ボタン「戻る」「進む」が選択されたことによって第三領域３７１３に新たに表示されることとなった資料画像のページを示す番号を、ページ番号６１７としてパケット６１に格納する（Ｓ６７）。以上の処理によって、パケット６１の作成は完了する。ＣＰＵ３１は、作成したパケット６１を、宛先アドレス６１２宛に送信する（Ｓ７５）。送信処理は終了する。
【００５３】
一方、選択ボタン「戻る」「進む」のいずれも選択されていない場合（Ｓ６５：ＮＯ）、ＣＰＵ３１は、Ｓ６１でＲＡＭ３３から操作情報を取得できたかを判断する（Ｓ６９）。操作情報が取得できた場合（Ｓ６９：ＹＥＳ）、Ｓ４９（図６参照）で移動領域５２（図８参照）が操作情報としてＲＡＭ３３に記憶されていることになる。この場合ＣＰＵ３１は、マウス３６２を介して所定の操作が行われていると判断する。ＣＰＵ３１は、「所定の操作」を操作種別６１５としてパケット６１に格納する。ＣＰＵ３１は、第三領域３７１３に表示されている１ページ分の資料画像が含まれるファイルの名称を、ファイル名６１６としてパケット６１に格納する。ＣＰＵ３１は、第三領域３７１３に表示されている資料画像のページを示す番号を、ページ番号６１７としてパケット６１に格納する。ＣＰＵ３１は、Ｓ６１で取得した移動領域５２を示す４点の座標情報を、移動領域６１８としてパケット６１に格納する（Ｓ７１）。以上によって、パケット６１の作成は完了する。ＣＰＵ３１は、作成したパケット６１を、宛先アドレス６１２宛に送信する（Ｓ７５）。送信処理は終了する。
【００５４】
他方、Ｓ６１でＲＡＭ３３から操作情報を取得できなかった場合、ＣＰＵ３１は、マウス３６２を使用した所定の操作が行われていないと判断する（Ｓ６９：ＮＯ）。ＣＰＵ３１は、「その他」を操作種別６１５としてパケット６１に格納し、パケット６１の作成は完了する。ＣＰＵ３１は、作成したパケットを、宛先アドレス６１２宛に送信する（Ｓ７５）。送信処理は終了する。
【００５５】
図１１を参照し、表示装置１５のＣＰＵ４１によって実行される受信処理について説明する。なおＣＰＵ４１は、処理が開始される前に、会議への参加を会議支援装置１１に要求するために、会議支援装置１１に対して参加要求を送信している。またＣＰＵ４１は、会議支援装置１１から送信されたファイル（Ｓ１５、図４参照）（Ｓ２５、図５参照）を受信し、ＨＤＤ４４に記憶している。また、表示装置１５を使用する受講者は、表示画面４７１（図３参照）の第四領域４７１４（図３参照）に表示された選択ボタン「第一モード」「第二モード」のうち何れかを選択している。ＣＰＵ４１は、選択された動作モード（第一モードまたは第二モード）で動作することによって、ＨＤＤ４４に記憶されたファイルに含まれる複数の資料画像のうち１ページ分の資料画像を、表示画面４７１の第三領域４７１３（図３参照）に表示している。
【００５６】
ＣＰＵ４１は、会議支援装置１１から送信された（Ｓ７５、図９参照）パケット６１（図１０参照）を受信する（Ｓ１０１）。ＣＰＵ４１は、受信したパケット６１に格納された操作種別６１５を取得する。「ページ切り替え」が操作種別６１５として取得されたとする（Ｓ１０３：ＹＥＳ）。この場合、会議支援装置１１では、表示画面３７１の第四領域３７１４に表示された選択ボタン「戻る」「進む」が発明者によって選択されている。これによって会議支援装置１１では、第三領域３７１３に表示された資料画像のページが更新されている。ＣＰＵ４１は、受信したパケット６１に格納されたファイル名６１６およびページ番号６１７を取得する（Ｓ１０５）。
【００５７】
ＣＰＵ４１は、表示装置１５が第一モードで動作しているか判断する（Ｓ１０７）。第一モードでは、会議支援装置１１の表示部３７に表示された資料画像のページと同一ページの資料画像が、表示装置１５の表示部４７に表示される。ＣＰＵ４１は、表示装置１５が第一モードで動作していると判断した場合（Ｓ１０７：ＹＥＳ）、Ｓ１０５で取得したファイル名６１６のファイルを、ＨＤＤ４４から読み出して取得する。ＣＰＵ４１は、取得したファイルのうち、Ｓ１０５で取得したページ番号６１７の資料画像を抽出し、表示画面４７１の第三領域４７１３に表示する（Ｓ１０９）。ＣＰＵ４１は、Ｓ１０１で受信したパケット６１に格納された映像データ６１３および音声データ６１４を取得する。ＣＰＵ４１は、資料画像を表示する（Ｓ１０９参照）と同時に、取得した映像データ６１３に基づき、表示画面４７１の第二領域４７１２に映像を表示する。ＣＰＵ４１は、映像を表示すると同時に、取得した音声データ６１４に基づき、スピーカ４８から音声を出力する。受信処理は終了する。
【００５８】
一方、ＣＰＵ４１は、表示装置１５が第二モードで動作していると判断した場合（Ｓ１０７：ＮＯ）、第三領域４７１３に表示された１ページ分の資料画像を更新しない。ＣＰＵ４１は、Ｓ１０１で受信したパケット６１から映像データ６１３を取得し、表示画面４７１の第二領域４７１２に映像を表示する。ＣＰＵ４１は、Ｓ１０１で受信したパケット６１から音声データ６１４を取得し、スピーカ４８から音声を出力する。受信処理は終了する。
【００５９】
Ｓ１０１で受信したパケット６１から、「所定の操作」が操作種別６１５として取得されたとする（Ｓ１０３：ＮＯ、Ｓ１１１：ＹＥＳ）。この場合、表示画面３７１（図２参照）の第三領域３７１３（図２参照）に表示された１ページ分の資料画像のうち特定の部位に対して、発明者がマウス３６２を使用して所定の操作を行なっている。ＣＰＵ４１は、受信したパケット６１に格納されたファイル名６１６、ページ番号６１７、および移動領域６１８を取得する（Ｓ１１３）。
【００６０】
ＣＰＵ４１は、表示装置１５が第一モードで動作しているか判断する（Ｓ１１５）。表示装置１５が第一モードで動作していると判断した場合（Ｓ１１５：ＹＥＳ）、ＣＰＵ４１は、Ｓ１１３で取得したファイル名６１６のファイルを、ＨＤＤ４４から読み出して取得する。ＣＰＵ４１は、取得したファイルのうち、Ｓ１１３で取得したページ番号６１７の資料画像を抽出し、表示画面４７１の第三領域４７１３に表示する（Ｓ１１７）。ＣＰＵ４１は、第三領域４７１３に表示した１ページ分の資料画像のうち、Ｓ１１３で取得した移動領域６１８によって示される４点の座標情報で囲まれる部分の内側に配置された文字および線画を強調表示する（Ｓ１１８）。なお強調表示の具体的な態様として、例えばハイライト表示がある。
【００６１】
例えば図７に示すように、会議支援装置１１の表示部３７に表示画面３７１が表示されていたとする。そして、第三領域３７１３に表示された１ページ分の資料画像の「発表資料」の文字３７３上を、軌跡３７５に沿ってカーソル３７２が移動するように、マウス３６２が操作されたとする。この場合ＣＰＵ４１は、図１２に示すように、表示画面４７１のうち第三領域４７１３に、第三領域３７１３（図７参照）に表示された資料画像のページと同一ページの資料画像を表示する（Ｓ１１７、図１１参照）。次にＣＰＵ４１は、第三領域４７１３に表示した１ページ分の資料画像のうち、軌跡３７５（図７参照）に基づいて特定される移動領域に含まれる「発表資料」の文字４７３に、背景色４７５を付加することによって強調表示する（Ｓ１１８、図１１参照）。なおＣＰＵ４１は、強調表示の開始時点から所定時間が経過するまで、強調表示を継続する。所定時間の経過後、ＣＰＵ４１は、強調表示を解除する。
【００６２】
なお強調表示の態様は、ハイライト表示に限定されない。例えば図７に示すように、「ページ１」の文字３７４上を、軌跡３７６に沿ってカーソル３７２が移動するように、マウス３６２が操作されたとする。この場合ＣＰＵ４１は、図１２に示すように、第三領域４７１３に表示した１ページ分の資料画像のうち、軌跡３７６（図７参照）に基づいて特定される移動領域に含まれる「ページ１」の文字４７４を太線表示することによって、強調表示を行なってもよい。
【００６３】
ＣＰＵ４１は、表示画面４７１の第三領域４７１３に１ページ分の資料画像を表示すると同時に、Ｓ１０１で受信したパケット６１から映像データ６１３を取得し、第二領域４７１２に映像を表示する。またＣＰＵ４１は、Ｓ１０１で受信したパケット６１から音声データ６１４を取得し、スピーカ４８から音声を出力する。受信処理は終了する。
【００６４】
一方、Ｓ１１５で、表示装置１５が第二モードで動作していると判断されたとする（Ｓ１１５：ＮＯ）。第二モードでは、会議支援装置１１に接続したマウス３６２を使用して所定の操作が行われている場合を除き、受講者による表示装置１５への入力操作に応じて特定されるページの資料画像が、表示部４７に表示される。ところがＳ１１１で、パケット６１から「所定の操作」が操作種別６１５として取得されている。このためＣＰＵ４１は、Ｓ１１３で取得したファイル名６１６のファイルを、ＨＤＤ４４から読み出して取得する。ＣＰＵ４１は、取得したファイルのうち、Ｓ１１３で取得したページ番号６１７の資料画像を抽出する。ＣＰＵ４１は、第三領域４７１３に表示された状態の資料画像を含むファイルの名称、および、表示された状態の資料画像のページ番号を、ＲＡＭ４３に記憶する。ＣＰＵ４１は、第三領域４７１３に表示中の資料画像を、受信したパケット６１に基づいて特定される１ページ分の資料画像に変更して表示する（Ｓ１１９）。これによって、会議支援装置１１の表示部３７に表示された資料画像のページと同一ページの資料画像が、表示装置１５の表示部４７に表示される。
【００６５】
次にＣＰＵ４１は、図１３に示すように、表示画面４７１のうち第一領域４７１１、第二領域４７１２、および第四領域４７１４を黒く塗り潰す（Ｓ１２１、図１１参照）。これによってＣＰＵ４１は、第二モードで表示装置１５が動作しているにも関わらず、第三領域４７１３に表示された資料画像のページが自動的に変更されたことを、受講者に通知する。ＣＰＵ４１は、Ｓ１０１で受信したパケット６１から映像データ６１３を取得し、資料画像を表示する（Ｓ１１９参照）と同時に、第二領域４７１２に映像を表示する。ＣＰＵ４１は、Ｓ１０１で受信したパケット６１から音声データ６１４を取得し、映像を表示すると同時に、スピーカ４８から音声を出力する。
【００６６】
図１１に示すように、ＣＰＵ６１は、第二モードで表示装置１５が動作しているにも関わらず、第三領域４７１３に表示された資料画像のページが自動的に変更されたことを受講者に通知するため、スピーカ４８から出力される音声の音量を増加させる（Ｓ１２３）。ＣＰＵ４１は、第四領域４７１４に表示された選択ボタン「戻る」「進む」を無効とする（Ｓ１２５）。理由は、第二モードで表示装置１５が動作しているものの、会議支援装置１１の表示部３７に表示された資料画像のページと同一ページの資料画像が第三領域４７１３に表示されるため、受講者は資料画像のページを手動で更新することができないためである。
【００６７】
ＣＰＵ４１は、第三領域４７１３に表示された１ページ分の資料画像を、マウス４６１（図１参照）を使用して選択する操作が行われたか判断する（Ｓ１２７）。Ｓ１１９で１ページ分の資料画像を第三領域４７１３に表示してから所定時間内に、表示中の資料画像をマウス４６１によって選択する操作が行われた場合（Ｓ１２７：ＹＥＳ）、ＣＰＵ４１は、表示装置１５の動作モードを第一モードに変更する（Ｓ１３５）。受信処理は終了する。
【００６８】
一方、表示中の資料画像をマウス４６１によって選択する操作が行われない状態で、Ｓ１１９で１ページ分の資料画像が第三領域４７１３に表示されてからの経過時間が所定時間以上になったとする（Ｓ１２７：ＮＯ）。この場合ＣＰＵ４１は、Ｓ１１９で表示内容を変更する前の資料画像が含まれるファイルの名称、および変更前のページ番号を、ＲＡＭ４３から読み出す。ＣＰＵ４１は、読み出したファイルに含まれる資料画像のうち、読み出したページ番号の資料画像を、第三領域４７１３に表示する。ＣＰＵ４１は、Ｓ１２１で塗りつぶした第一領域４７１１、第二領域４７１２、および第四領域４７１４を元に戻す。ＣＰＵ４１は、Ｓ１２３で増加させた音声の音量を元に戻す。ＣＰＵ４１は、Ｓ１２５で無効化した第四領域４７１４の選択ボタン「戻る」「進む」を有効化する。これらによってＣＰＵ４１は、表示装置１５の状態を元に戻す（Ｓ１２９）。受信処理は終了する。
【００６９】
Ｓ１１１で、Ｓ１０１で受信したパケット６１から、「その他」が操作種別６１５として取得された場合（Ｓ１１１：ＮＯ）、受信処理は終了する。
【００７０】
以上説明したように、会議支援装置１１は、マウス３６２を使用して所定の操作が行われた際に表示画面３７１の第三領域３７１３に表示された資料画像のファイル名６１６、ページ番号６１７、および、所定の操作によって指定された資料画像上の領域（移動領域６１８）をパケット６１に格納し、表示装置１５に送信する。表示装置１５は、会議支援装置１１から受信したパケット６１によって通知されたファイル名６１６のファイルに含まれる資料画像のうち、ページ番号６１７によって特定されるページの資料画像を、表示部４７に表示する。会議支援装置１１を使用する発表者は、表示装置１５を使用する受講者に対して、所望するページの資料画像を見せながら発表等を行うことが可能となる。
【００７１】
また表示装置１５は、第二モードで動作する状態であっても、会議支援装置１１に対して所定の操作が行われた場合には、会議支援装置１１の表示部３７に表示された資料画像と同一の資料画像を、表示部４７に表示する。このため、発表者が受講者に対して特に強調したい資料画像を、受講者に確実に認識させることができる。
【００７２】
また表示装置１５は、発表者による所定の操作によって指定された資料画像上の特定の部位を、強調表示によって受講者に通知することができる。このため受講者は、発表者が強調する資料画像上の特定の部位を、容易に認識することができるので、発表者の発表内容のポイント等を容易に把握することができる。
【００７３】
さらに発表者は、資料画像上の特定の部位を指定するための所定の操作を行うことによって、会議支援装置１１の表示部３７に表示された資料画像と同一の資料画像を、表示装置１５の表示部４７に表示させることができる。所定の操作は、資料画像のうち特定の部位の近傍をカーソル３７２が繰り返し往復移動するように、マウス３６２を操作するものである。このため発表者は、資料画像のうち特定の部位をカーソル３７２で示すことによって受講者の注意を部位に引き寄せつつ、会議支援装置１１の表示部３７に表示された資料画像と同一の資料画像が表示装置１５の表示部４７に表示されるように、表示部４７の表示を切り替えることができる。このため発表者は、カーソル３７２を特定の部位以外の部分（例えば、表示部４７の表示を切り替えるための専用ボタンや、選択ボタン「戻る」「進む」等）に移動させる必要がないので、資料画像のうちカーソル３７２によって指示される部位に受講者の注目を集めつつ、表示部４７の表示を切り替えることが可能となる。
【００７４】
なお、Ｓ３１の処理を行うＣＰＵ３１が本発明の「検出手段」に相当する。Ｓ３３〜Ｓ４７の処理を行うＣＰＵ３１が本発明の「判断手段」に相当する。Ｓ７５の処理を行うＣＰＵ３１が本発明の「送信手段」に相当する。Ｓ１０１の処理を行うＣＰＵ４１が本発明の「受信手段」に相当する。Ｓ１１７、Ｓ１１９の処理を行うＣＰＵ４１が本発明の「表示制御手段」に相当する。Ｓ３１の処理が本発明の「検出ステップ」に相当する。Ｓ３３〜Ｓ４７の処理が本発明の「判断ステップ」に相当する。Ｓ７５の処理が本発明の「送信ステップ」に相当する。Ｓ１０１の処理が本発明の「受信ステップ」に相当する。Ｓ１１７、Ｓ１１９の処理が本発明の「表示制御ステップ」に相当する。
【００７５】
なお本発明は上述の実施形態に限定されず、種々の変更が可能である。上述においてＣＰＵ３１は、マウス３６２によって所定の操作が行われたかを判断した。所定の操作は、マウス３６２以外の機器によって行われてもよい。例えば、会議支援装置１１の表示部３７に表示される資料画像がスクリーンに投影される場合、レーザーポインタによって資料画像の特定の部位が指定された場合に、ＣＰＵ３１は、所定の操作が行われたと判断しても良い。
【００７６】
ＣＰＵ３１は、上述した方法以外の方法で、所定の操作が行われたかを判断しても良い。例えばＣＰＵ３１は、マウス３６２がクリックされた場合に所定の操作が行われたと判断しても良い。例えばＣＰＵ３１は、カメラによってカーソル３７２の位置を撮影し、画像処理によってカーソル３７２の移動の軌跡を特定することによって、所定の操作が行われたかを判断しても良い。
【００７７】
上述における会議支援装置１１のＣＰＵ３１によって実行される各種処理は、ネットワーク２０に接続する別の制御装置（例えばＭＣＵ（Multi-point Control Unit）など）によって実行されてもよい。会議支援装置１１は、表示部３７に表示中の資料画像を含むファイル、ページ番号、およびカーソル３７２の位置情報を、カメラ３６１によって撮影された映像のデータ、マイク３９によって集音された音声のデータ等と共に制御装置に送信しても良い。制御装置は、会議支援装置１１から受信したカーソル３７２の位置情報に基づいて、発表者がマウス３６２を使用して所定の操作が行われたかを判断しても良い。制御装置は、必要に応じて移動領域５２を特定し、パケット６１に格納して表示装置１５に送信してもよい。これによって、会議支援装置１１の処理負荷を軽減させることができる。
【００７８】
上述における会議支援装置１１および表示装置１５は、切り替え可能としても良い。即ち、会議に参加する者のうち発表を担当する者が使用する表示装置１５が、上述で説明した会議支援装置１１の処理を実行できるようにしても良い。
【００７９】
上述においてＣＰＵ３１は、マウス３６２の移動の軌跡５１（図８参照）の総距離および進行方向ベクトルに基づき、マウス３６２を使用して所定の強調操作が行われたかを判断した（図６参照）。例えばＣＰＵ３１は、総距離や進行方向ベクトルの極性の変化回数に応じて、強調操作による強調の程度を判断してもよい。例えばＣＰＵ３１は、総距離が大きいほど、強調の程度が大きいと判断してもよい。また例えばＣＰＵ３１は、進行方向ベクトルの極性の変化回数が大きいほど、強調の程度が大きいと判断してもよい。ＣＰＵ３１は、移動領域５２に加え、強調の程度を示す情報をパケット６１に格納し、表示装置１５に送信してもよい（図９参照）。表示装置１５のＣＰＵ４１は、強調の程度を示す情報に基づいて、強調表示の態様を変化させてもよい（Ｓ１１８、図１１参照）。
【００８０】
例えばＣＰＵ４１は、表示装置１５が第一モードで動作中の場合、強調の程度が大きくなるに従い、背景色４７５（図１２参照）の色を徐々に明るくするか、または、背景色４７５を点滅させ且つ点滅周期を速くしてもよい。なお、背景色４７５を点滅させる場合の点滅回数は、総距離や進行方向ベクトルの極性の変化回数に同期させてもよい。例えばＣＰＵ４１は、変化回数分、背景色４７５を点滅させてもよい。
【００８１】
またＣＰＵ４１は、表示装置１５が第二モードで動作中の場合、第一領域４７１１、第二領域４７１２、および第四領域４７１４を塗り潰す色を、強調の程度に応じて変化させるか、または、塗り潰した部分を点滅させ且つ点滅周期を速くしてもよい。なお、塗り潰した部分を点滅させる場合の点滅回数は、第一モードの場合と同様、総距離や進行方向ベクトルの極性の変化回数に同期させてもよい。
【００８２】
所定の操作が検出された場合における強調表示の態様（図１２、図１３参照）は、上述の実施形態に限定されない。例えばＣＰＵ４１は、表示画面４７１にアニメーションを表示することによって強調表示を行なってもよい。例えば、様々な形状の吹き出し線によって移動領域に含まれる文字や線画を囲むことで、強調表示が行われても良い。また例えば、擬人化されたキャラクタが、移動領域に含まれる文字や線画を指し示すポーズを取ることによって、強調表示が行われてもよい。
【００８３】
上述の実施形態では、強調表示は所定時間継続され、その後解除された。ＣＰＵ４１は、上述した強調の程度によって強調表示の継続時間を変化させてもよい。例えばＣＰＵ４１は、強調の程度が大きいほど、強調表示の継続時間を長くしてもよい。
【００８４】
なお、強調表示は解除されることなく、表示中の資料画像のページが更新されるまで継続されてもよい。さらに、所定時間の経過後に強調表示を解除するか否かを、ユーザが設定によって切り替えられるようにしてもよい。
【符号の説明】
【００８５】
１      会議支援システム
１１    会議支援装置
１５    表示装置
３７、４７  表示部
５１、３７５、３７６  軌跡
５２    移動領域
５３、３７３、３７４、４７３、４７４  文字
６１    パケット
３６２  マウス
【図１】
2013198038.tif 000003
【図２】
2013198038.tif 000004
【図３】
2013198038.tif 000005
【図４】
2013198038.tif 000006
【図５】
2013198038.tif 000007
【図６】
2013198038.tif 000008
【図７】
2013198038.tif 000009
【図８】
2013198038.tif 000010
【図９】
2013198038.tif 000011
【図１０】
2013198038.tif 000012
【図１１】
2013198038.tif 000013
【図１２】
2013198038.tif 000014
【図１３】
2013198038.tif 000015